(57)【要約】【課題】小型化した多極のコネクタを提供する。【解決手段】コネクタ１０は、第１コネクタ１１と第２コネクタ２５とを備える。第１コネクタ１１および第２コネクタ２５は、接触部を有する複数の端子１８，１９，２０，２１，３３，３４，３５，３６と、端子を保持するハウジング１２，２６と、を有し、第１コネクタ１１の複数の端子１８，１９，２０，２１は、第１コネクタ１１のハウジング１２において、ハウジング１２の外側とハウジング１２の内側とに設けた端子保持部１４，１５，１６，１７によって保持される一方、第２コネクタ２５の端子３３，３４，３５，３６は、第２コネクタ２５のハウジング２６において、第１コネクタ１１との嵌合が完了した際に、第１コネクタ１１の端子の接触部１８Ａ，１９Ａ，２０Ａ，２１Ａと接触するように保持されている。【選択図】図６
2015018730.tif 000002
【特許請求の範囲】
【請求項１】
相互に嵌合する第１コネクタと第２コネクタとを備え、
前記第１コネクタおよび前記第２コネクタは、接触部を有する複数の端子と、前記端子を保持するハウジングと、を有し、
前記第１コネクタの複数の端子は、前記第１コネクタのハウジングにおいて、当該ハウジングの外側と当該ハウジングの内側とに設けた端子保持部によって保持される一方、
前記第２コネクタの複数の端子は、前記第２コネクタのハウジングにおいて、前記第１コネクタとの嵌合が完了した際に、前記第１コネクタの端子の接触部と接触するように保持されているコネクタ。
【請求項２】
前記第１コネクタおよび前記第２コネクタは、嵌合の際に回転自在である請求項１に記載のコネクタ。
【請求項３】
前記第１コネクタおよび前記第２コネクタの少なくとも一方において、複数の端子のうち、最も径方向内側に配される端子がピン端子である請求項１または請求項２に記載のコネクタ。 
【発明の詳細な説明】
【技術分野】
【０００１】
本発明は、コネクタに関する。
【背景技術】
【０００２】
従来、多数極のコネクタとしては、例えば特許文献１に記載のものなどが知られている。
【０００３】
このコネクタにおいて、複数の接触部は、突起部の端面と、突起部の端面から軸心と平行に角柱状に切り欠いた切欠部の底面と、に設けられている。つまり、このコネクタでは複数の接触部が軸心と平行な方向にずれた位置に設けられている。
【先行技術文献】
【特許文献】
【０００４】
【特許文献１】特開２０１０−１９２１４０号公報
【発明の概要】
【発明が解決しようとする課題】
【０００５】
上述のようなコネクタにおいて、さらに多極化を行うと、図４９に示すように、軸心と平行な方向にコネクタ１のハウジング２が長くなり、これに伴い、相手方のコネクタ５（図５０のコネクタ）のハウジング６も軸心と平行な方向に長くなるため、全体として大型化するという問題があった。なお、図４９中、３は接触部であり、図５０中、７は接触部である。
【０００６】
本発明は上記のような事情に基づいて完成されたものであって、小型化した多極のコネクタを提供することを目的とする。
【課題を解決するための手段】
【０００７】
上記課題を解決するものとして本発明は、相互に嵌合する第１コネクタと第２コネクタとを備え、前記第１コネクタおよび前記第２コネクタは、接触部を有する複数の端子と、前記端子を保持するハウジングと、を有し、前記第１コネクタの複数の端子は、前記第１コネクタのハウジングにおいて、当該ハウジングの外側と当該ハウジングの内側とにそれぞれ設けた端子保持部によって保持される一方、前記第２コネクタの複数の端子は、前記第２コネクタのハウジングにおいて、前記第１コネクタとの嵌合が完了した際に、前記第１コネクタの端子の接触部と接触するように保持されているコネクタである。
【０００８】
本発明において複数の端子は第１コネクタのハウジングにおいてハウジングの外側と内側とにそれぞれ設けた端子保持部によって保持されているので、複数の接触部を軸心と平行な方向にずれた位置に設けたコネクタと比較して、ハウジングが軸心と平行な方向に大型化しない。その結果、本発明によれば、小型化した多極のコネクタを提供することができる。
【０００９】
本発明は以下の構成としてもよい。
前記第１コネクタおよび前記第２コネクタは、嵌合の際に回転自在であってもよい。
このような構成とすると、嵌合時の方向規制がないので、嵌合操作を円滑に行うことができる。
【００１０】
前記第１コネクタおよび前記第２コネクタの少なくとも一方において、複数の端子のうち、最も径方向内側に配される端子がピン端子であってもよい。
このような構成とすると最も内側の端子がピン端子なので、コネクタを、より小型化することができる。
【発明の効果】
【００１１】
本発明によれば、小型化した多極のコネクタを提供することができる。
【図面の簡単な説明】
【００１２】
【図１】実施形態１のコネクタの斜視図
【図２】嵌合前の第１コネクタと第２コネクタの斜視図
【図３】第１コネクタの分解斜視図
【図４】第２コネクタの分解斜視図
【図５】第１コネクタの側面図
【図６】図５のＡ−Ａ線における断面図
【図７】第１コネクタの底面図
【図８】図７のＢ−Ｂ線における断面図
【図９】第２コネクタの側面図
【図１０】図９のＣ−Ｃ線における断面図
【図１１】第２コネクタの底面図
【図１２】図１１のＤ−Ｄ線における断面図
【図１３】コネクタの側面図
【図１４】図１３のＥ−Ｅ線における断面図
【図１５】嵌合状態のコネクタの底面図
【図１６】図１５のＦ−Ｆ線における断面図
【図１７】実施形態２のコネクタの斜視図
【図１８】嵌合前の第１コネクタと第２コネクタの斜視図
【図１９】第１コネクタの分解斜視図
【図２０】第２コネクタの分解斜視図
【図２１】第１コネクタの側面図
【図２２】図２１のＧ−Ｇ線における断面図
【図２３】第１コネクタの底面図
【図２４】図２３のＨ−Ｈ線における断面図
【図２５】第１コネクタの正面図
【図２６】第２コネクタの側面図
【図２７】図２６のＩ−Ｉ線における断面図
【図２８】第２コネクタの底面図
【図２９】図２８のＪ−Ｊ線における断面図
【図３０】コネクタの側面図
【図３１】図３０のＫ−Ｋ線における断面図
【図３２】実施形態３のコネクタの斜視図
【図３３】嵌合前の第１コネクタと第２コネクタの斜視図
【図３４】第１コネクタの分解斜視図
【図３５】第２コネクタの分解斜視図
【図３６】第１コネクタの側面図
【図３７】図３６のＬ−Ｌ線における断面図
【図３８】第１コネクタの底面図
【図３９】図３８のＭ−Ｍ線における断面図
【図４０】第２コネクタの側面図
【図４１】図４０のＮ−Ｎ線における断面図
【図４２】第２コネクタの底面図
【図４３】図４２のＰ−Ｐ線における断面図
【図４４】コネクタの側面図
【図４５】コネクタの底面図
【図４６】図４５のＱ−Ｑ線における断面図
【図４７】他の実施形態で説明する第１コネクタの斜視図
【図４８】他の実施形態で説明する第２コネクタの斜視図
【図４９】従来例の第１コネクタの斜視図
【図５０】従来例の第２コネクタの斜視図
【発明を実施するための形態】
【００１３】
＜実施形態１＞
本発明の実施形態１を図１ないし図１６によって説明する。
本実施形態のコネクタ１０は図１及び図２に示すように、相互に嵌合する第１コネクタ１１と第２コネクタ２５とを備える。図５〜図１６の左右方向は嵌合方向である。本実施形態においては、図２に示す左側のコネクタが第１コネクタ１１で右側のコネクタが第２コネクタ２５である。
【００１４】
（第１コネクタ１１）
第１コネクタ１１は、図３に示すように、接触部１８Ａ，１９Ａ，２０Ａ，２１Ａを有する複数（本実施形態では４つ）の端子１８，１９，２０，２１と、複数の端子１８，１９，２０，２１を保持するハウジング１２とを有する。
【００１５】
第１コネクタ１１の端子１８，１９，２０，２１は、図３における左側から順に、第１端子１８、第２端子１９、第３端子２０、第４端子２１とからなる。第１端子１８、第２端子１９および第３端子２０は、それぞれ、Ｃ字状の接触部１８Ａ，１９Ａ，２０Ａと、接触部１８Ａ，１９Ａ，２０Ａの略中央から突出する板状の端子部１８Ｂ，１９Ｂ，２０Ｂとからなる。第１端子１８、第２端子１９および第３端子２０の接触部１８Ａ，１９Ａ，２０Ａの径寸法は、第１端子１９、第２端子１９、第３端子２０の順に小さく設定されている。第４端子２１はピン形状をなしており、その表面が接触部２１Ａである。
【００１６】
第１コネクタ１１のハウジング１２の図３における左端部側には４つの端子１８，１９，２０，２１が挿通される端子保持孔１３が形成されている。第１コネクタ１１のハウジング１２は、図５および図７に示すように、外壁面１２Ａ（ハウジング１２の外側）に、第１端子１８の接触部１８Ａを嵌めこんで保持する第１端子保持部１４と、第１端子保持部１４よりも右端部寄りに第２端子１９の接触部１９Ａを嵌めこんで保持する第２端子保持部１５と、を備える。第１端子保持部１４および第２端子保持部１５は各接触部１８Ａ，１９Ａを嵌めこみ可能な形状（凹状）をなしている。
【００１７】
また、第１コネクタ１１のハウジング１２の内壁面１２Ｂ（ハウジング１２の内側）には、図６および図８に示すように第３端子保持部１６が凹設されている。
【００１８】
第４端子２１は、第３端子２０よりもさらに径方向内側において、第１コネクタ１１のハウジング１２の奥壁（左側の壁部）の保持孔１７（端子保持部の一例）に保持されている。
【００１９】
つまり、第１コネクタ１１の複数の端子１８，１９，２０，２１は第１コネクタ１１のハウジング１２の外側に設けた第１端子保持部１４および第２端子保持部１５と、ハウジング１２の内側に設けた第３端子保持部１６および保持孔１７と、において保持されていることになる。
【００２０】
（第２コネクタ２５）
第２コネクタ２５は図４に示すように、接触部３３Ａ，３４Ａ，３５Ａ，３６Ａを有する複数（本実施形態では４つ）の端子３３，３４，３５，３６と、複数の端子３３，３４，３５，３６を保持するハウジング２６とを有する。
【００２１】
第２コネクタ２５の端子３３，３４，３５，３６は、図４における左側から順に、第１端子３３、第２端子３４、第３端子３５、第４端子３６とからなる。第１端子３３、第２端子３４、および第３端子３４は、それぞれ、Ｃ字状の接触部３３Ａ，３４Ａ，３５Ａと、接触部３３Ａ，３４Ａ，３５Ａの略中央から突出する板状の端子部３３Ｃ，３４Ｃ，３５Ｃとからなる。第１端子３３、第２端子３４および第３端子３５の接触部３３Ａ，３４Ａ，３５Ａの径寸法は、第１端子３３、第２端子３４、第３端子３５の順に小さく設定されている。第４端子３６は嵌合方向に延びるＵ字状の接触部３６Ａと、接触部３６Ａの略中央から突出する板状の端子部３６Ｂとからなる。
【００２２】
第１端子３３、第２端子３４および第３端子３５の接触部３３Ａ，３４Ａ，３５Ａには、それぞれ複数の弾性接触片３３Ｂ，３４Ｂ，３５Ｂが形成されている。
【００２３】
第２コネクタ２５のハウジング２６の図４における右端部側には、４つの端子３３，３４，３５，３６が挿通される端子保持孔２７が形成されている。第２コネクタ２５のハウジング２６は、略円筒状をなし、その内部に筒状の筒状保持部３０を備える。
【００２４】
第２コネクタ２５のハウジング２６の内壁には、図１０および図１２に示すように、径方向における最も外側に第１端子３３の接触部３３Ａを保持する第１端子保持部２８が設けられている。またハウジング２６の内壁には、第１端子保持部２８よりも右端部寄りに、第１端子保持部２８よりも径方向における内側に第２端子３４の接触部３４Ａを保持する第２端子保持部２９、が設けられている。
【００２５】
第２コネクタ２５のハウジング２６の筒状保持部３０の外側面には図１０および図１２に示すように、第３端子保持部３１が設けられており、筒状保持部３０の内部には第４端子３６が保持されている（第４端子保持部３２）。
【００２６】
つまり、第２コネクタ２５の複数の端子３３，３４，３５，３６は第２コネクタ２５のハウジング２６において径方向にずれた位置に保持されていることになる。
【００２７】
第１コネクタ１１と第２コネクタ２５とを嵌合させると、第１コネクタ１１は第２コネクタ２５に対して回転自在に嵌合される。
【００２８】
第１コネクタ１１と第２コネクタ２５が嵌合した状態においては、図１４に示すように、第１コネクタ１１の第１端子１８の接触部１８Ａと、第２コネクタ２５の第１端子３３の接触部３３Ａとが接触し、第１コネクタ１１の第２端子１９の接触部１９Ａと第２コネクタ２５の第２端子３４の接触部３４Ａとが接触し、図１６に示すように、第１コネクタ１１の第３端子２０の接触部２０Ａと第２コネクタ２５の第３端子３５の接触部３５Ａとが接触し、第１コネクタ１１の第４端子２１の接触部２１Ａと第２コネクタ２５の第４端子３６の接触部３６Ａとが接触する。
【００２９】
つまり、第２コネクタ２５の複数の端子３３，３４，３５，３６は、第２コネクタ２５のハウジング２６において、第１コネクタ１１との嵌合が完了した際に、第１コネクタ１１の各端子１８，１９，２０，２１の接触部１８Ａ，１９Ａ，２０Ａ，２１Ａと接触するように保持されている。
【００３０】
嵌合が完了し第１コネクタ１１の各端子１８，１９，２０，２１の接触部１８Ａ，１９Ａ，２０Ａ，２１Ａが、第２コネクタ２５の対応する端子３３，３４，３５，３６の接触部３３Ａ，３４Ａ，３５Ａ，３６Ａと接触状態となると、両コネクタ１１，２５は電気的に接続可能な状態となる。
なお、本実施形態では、第１端子３３、第２端子３４および第３端子３５の接触部３３Ａ，３４Ａ，３５Ａの径寸法は、第１端子３３、第２端子３４、第３端子３５の順に小さく設定されているが、これに限定されるものではない。例えば、第１端子３３の接触部３３Ａと、第２端子３４の接触部３４Ａとを軸方向に離れた位置に配置することで、第１端子３３および第２端子３４の径寸法を同じくすることもできる。
【００３１】
本実施形態の作用および効果について説明する。
本実施形態において複数の端子１８，１９，２０，２１は第１コネクタ１１のハウジング１２の外側に設けた第１端子保持部１４および第２端子保持部１５ならびにハウジング１２の内側に設けた第３端子保持部１６および保持孔１７によって保持されているので、軸心と平行な方向にずれた位置に複数の接触部３を設けたコネクタ１（図４９を参照）と比較して、ハウジング１２が軸心と平行な方向（図１３の左右方向）に大型化しない。その結果、本実施形態によれば、小型化した多極のコネクタ１０を提供することができる。
【００３２】
また本実施形態によれば、第１コネクタ１１および第２コネクタ２５は、嵌合の際に回転自在であるから、嵌合時の方向規制がないので、嵌合操作を円滑に行うことができる。
【００３３】
また、本実施形態によれば、第１コネクタ１１および第２コネクタ２５の少なくとも一方において、複数の端子１８，１９，２０，２１のうち、最も径方向内側に配される端子２１がピン端子であるから、コネクタ１０を、より小型化することができる。
【００３４】
また、本実施形態によれば、第２コネクタ２５の第１端子３３、第２端子３４および第３端子３５の接触部３３Ａ，３４Ａ，３５Ａには、それぞれ複数の弾性接触片３３Ｂ，３４Ｂ，３５Ｂが形成されているから、相手方端子１８，１９，２０との接続信頼性が高まる。
【００３５】
＜実施形態２＞
次に、本発明の実施形態２を図１７ないし図３１によって説明する。
本実施形態のコネクタ４０は図１７及び図１８に示すように、相互に嵌合する第１コネクタ４１と第２コネクタ５５とを備える。
【００３６】
（第１コネクタ４１）
第１コネクタ４１は、図１９に示すように、接触部４８Ａ，４９Ａ，５０Ａ，５１Ａを有する複数（本実施形態では４つ）の端子４８，４９，５０，５１と、複数の端子４８，４９，５０，５１を保持するハウジング４２とを有する。
【００３７】
第１コネクタ４１の端子４８，４９，５０，５１は、図１９における左側から順に、第１端子４８、第３端子５０、第２端子４９、第４端子５１とからなる。第１端子４８、第２端子４９は、それぞれ、Ｃ字状の接触部４８Ａ，４９Ａと、接触部４８Ａ，４９Ａの略中央から突出し、端部が屈曲された端子部４８Ｂ，４９Ｂとからなる。第３端子５０は、Ｃ字状の接触部５０Ａと、接触部５０Ａの略中央から突出する板状の端子部５０Ｂとからなる。第４端子５１は、Ｃ字状の接触部５１Ａと、接触部５１Ａの略中央から突出し、端部が屈曲された端子部５１Ｂとからなる。第１端子４８、第２端子４９、第３端子５０および第４端子５１の接触部４８Ａ，４９Ａ，５０Ａ，５１Ａの径寸法は、第１端子４９、第２端子４９、第３端子５０、第４端子５１の順に小さく設定されている。
【００３８】
第１コネクタ４１のハウジング４２にはインサート成形により、４つの端子４８，４９，５０，５１が各端子保持部４４，４５，４６，４７に配されている。
第１コネクタ４１のハウジング４２の図１９における左端部側には４つの端子４８，４９，５０，５１が挿通され係止される端子保持孔４３が形成されている。
第１コネクタ４１のハウジング４２の外壁面４２Ａは、図２１および図２３に示すように、第１端子４８の接触部４８Ａが配される第１端子保持部４４と、第１端子保持部４４よりも右端部寄りに第２端子４９の接触部４９Ａが配される第２端子保持部４５と、を備える。
【００３９】
また、第１コネクタ４１のハウジング４２の内壁面４２Ｂ（ハウジング４２の内側）の開口端側（図示右端部）は、図２２に示すように、第３端子５０の接触部５０Ａが配される第３端子保持部４６として機能する。
【００４０】
ハウジング４２の内壁面４２Ｂの第３端子保持部４６よりも奥側（図示左側）であって、径方向内側に突出する段差４２Ｃよりも奥側の領域は、第４端子５１の接触部５１Ａが配される第４端子保持部４７として機能する（図２２を参照）。
【００４１】
つまり、第１コネクタ４１の複数の端子４８，４９，５０，５１は第１コネクタ４１のハウジング４２の外側の第１端子保持部４４および第２端子保持部４５と、ハウジング４２の内側の第３端子保持部４６および第４端子保持部４７と、において保持されている。
【００４２】
（第２コネクタ５５）
第２コネクタ５５は図２０に示すように、接触部６３Ａ，６４Ａ，６５Ａ，６６Ａを有する複数（本実施形態では４つ）の端子６３，６４，６５，６６と、複数の端子６３，６４，６５，６６を保持するハウジング５６とを有する。
【００４３】
第２コネクタ５５の端子６３，６４，６５，６６は、図２０における左側から順に、第１端子６３、第２端子６４、第３端子６５、第４端子６６とからなる。第１端子６３、第２端子６４、第３端子６４および第４端子６６は、それぞれ、Ｃ字状の接触部６３Ａ，６４Ａ，６５Ａ，６６Ａと、接触部６３Ａ，６４Ａ，６５Ａ，６６Ａの略中央から突出する板状の端子部６３Ｃ，６４Ｃ，６５Ｃ，６６Ｃとからなる。第１端子６３、第２端子６４、第３端子６５および第４端子の接触部６３Ａ，６４Ａ，６５Ａ，６６Ａの径寸法は、第１端子６３、第２端子６４、第３端子６５、第４端子６６の順に小さく設定されている。
【００４４】
第１端子６３、第２端子６４、第３端子６５および第４端子６６の接触部６３Ａ，６４Ａ，６５Ａ，６６Ａには、それぞれ複数の弾性接触片６３Ｂ，６４Ｂ，６５Ｂ，６６Ｂが形成されている。
【００４５】
第２コネクタ５５のハウジング５６の図２９における右端部側には、４つの端子６３，６４，６５，６６が挿通される端子保持孔５７が形成されている。第２コネクタ５５のハウジング５６は、略円筒状をなし、その内部に円柱状の柱状保持部６０を備える。
【００４６】
第２コネクタ５５のハウジング５６の内壁には、図２７および図２９に示すように、径方向における最も外側に第１端子６３の接触部６３Ａを保持する第１端子保持部５８が設けられている。またハウジング５６の内壁には、第１端子保持部５８よりも右端部寄りに、第１端子保持部５８よりも径方向における内側に第２端子６４の接触部６４Ａを保持する第２端子保持部５９、が設けられている。第１端子保持部５８と第２端子保持部５９との間には段差５６Ｃが形成されている。
【００４７】
第２コネクタ５５のハウジング５６の柱状保持部６０の壁面は、図２７および図２９に示すように、段差６０Ａを形成することにより、第３端子保持部６１と第４端子保持部６２が設けられている。柱状保持部６０において、第３端子保持部６１よりも第４端子保持部６２の方が径方向内側に設けられている（図２５を参照）。
【００４８】
つまり、第２コネクタ５５の複数の端子６３，６４，６５，６６は第２コネクタ５５のハウジング５６において径方向にずれた位置に保持されていることになる。
【００４９】
第１コネクタ４１と第２コネクタ５５とを嵌合させると、第１コネクタ４１は第２コネクタ５５に対して回転自在に嵌合される。
【００５０】
第１コネクタ４１と第２コネクタ５５が嵌合した状態においては、図３１に示すように、第１コネクタ４１の第１端子４８の接触部４８Ａと、第２コネクタ５５の第１端子６３の接触部６３Ａとが接触し、第１コネクタ４１の第２端子４９の接触部４９Ａと第２コネクタ５５の第２端子６４の接触部６４Ａとが接触し、第１コネクタ４１の第３端子５０の接触部５０Ａと第２コネクタ５５の第３端子６５の接触部６５Ａとが接触し、第１コネクタ４１の第４端子５１の接触部５１Ａと第２コネクタ５５の第４端子６６の接触部６６Ａとが接触する。
【００５１】
つまり、第２コネクタ５５の複数の端子６３，６４，６５，６６は、第２コネクタ５５のハウジング５６において、第１コネクタ４１との嵌合が完了した際に、第１コネクタ４１の各端子４８，４９，５０，５１の接触部４８Ａ，４９Ａ，５０Ａ，５１Ａと接触するように保持されている。
【００５２】
嵌合が完了し第１コネクタ４１の各端子４８，４９，５０，５１の接触部４８Ａ，４９Ａ，５０Ａ，５１Ａが、第２コネクタ５５の対応する端子６３，６４，６５，６６の接触部６３Ａ，６４Ａ，６５Ａ，６６Ａと接触状態となると、両コネクタ４１，５５は電気的に接続可能な状態となる。
【００５３】
本実施形態の作用および効果について説明する。
本実施形態において複数の端子４８，４９，５０，５１は、第１コネクタ４１のハウジング４２の外側に設けた第１端子保持部４４および第２端子保持部４５ならびにハウジング４２の内側に設けた第３端子保持部４６および第４端子保持部４７によって保持されているので、軸心と平行な方向にずれた位置に接触部３を設けたコネクタ１（図４９を参照）と比較して、ハウジング４２が軸心と平行な方向に大型化しない。その結果、本実施形態によれば、小型化した多極のコネクタ４０を提供することができる。
【００５４】
また本実施形態によれば、第１コネクタ４１および第２コネクタ５５は、嵌合の際に回転自在であるから、嵌合時の方向規制がないので、嵌合操作を円滑に行うことができる。
【００５５】
さらに、本実施形態によれば、第２コネクタ５５の第１端子６３、第２端子６４、第３端子６５および第４端子６６の接触部６３Ａ，６４Ａ，６５Ａ，６６Ａには、それぞれ複数の弾性接触片６３Ｂ，６４Ｂ，６５Ｂ，６６Ｂが形成されているから、相手方端子４８，４９，５０，５１との接続信頼性が高まる。
【００５６】
＜実施形態３＞
本発明の実施形態３を図３２ないし図４６によって説明する。
本実施形態のコネクタ７０は図３２及び図３３に示すように、相互に嵌合する第１コネクタ７１と第２コネクタ８５とを備える。本実施形態においては、図３３に示す右側のコネクタが第１コネクタ７１で左側のコネクタが第２コネクタ８５である。
【００５７】
（第１コネクタ７１）
第１コネクタ７１は、図３４に示すように、接触部７８Ａ，７９Ａ，８０Ａを有する複数（本実施形態では３つ）の端子７８，７９，８０と、複数の端子７８，７９，８０を保持するハウジング７２とを有する。
【００５８】
第１コネクタ７１の端子７８，７９，８０は、図３４における左側から順に、第１端子７８、第２端子７９、第３端子８０とからなる。第１端子７８、第２端子７９および第３端子８０は、それぞれ、Ｃ字状の接触部７８Ａ，７９Ａ，８０Ａと、接触部７８Ａ，７９Ａ，８０Ａの略中央から突出する板状の端子部７８Ｂ，７９Ｂ，８０Ｂとからなる。第１端子７８、第２端子７９および第３端子８０の接触部７８Ａ，７９Ａ，８０Ａの径寸法は、第１端子７９、第２端子７９、第３端子８０の順に小さく設定されている。
【００５９】
第１端子７８、第２端子７９および第３端子８０の接触部７８Ａ，７９Ａ，８０Ａは、その開口端が内側方向に屈曲した形状をなしており、より高い接圧でハウジング７２に保持されるようになっている。
【００６０】
第１コネクタ７１のハウジング７２の図３７における右端部側には３つの端子７８，７９，８０が挿通される端子挿通孔８３が形成されている。第１コネクタ７１のハウジング７２は、図３７および図３９に示すように、外壁面７２Ａ（ハウジング７２の外側）に、第１端子７８の接触部７８Ａを嵌めこんで保持する第１端子保持部７４と、第１端子保持部７４よりも左端部寄りに第２端子７９の接触部７９Ａを嵌めこんで保持する第２端子保持部７５と、を備える。第１端子保持部７４および第２端子保持部７５は各接触部７８Ａ，７９Ａを嵌めこみ可能な形状（凹状）をなしている。
【００６１】
また、第１コネクタ７１のハウジング７２の内壁面７２Ｂ（ハウジング７２の内側）には、図３９に示すように第３端子保持部７６が設けられている。
【００６２】
つまり、第１コネクタ７１の複数の端子７８，７９，８０は第１コネクタ７１のハウジング７２の外側に設けた第１端子保持部７４および第２端子保持部７５と、ハウジング７２の内側に設けた第３端子保持部７６と、において保持されていることになる。
【００６３】
（第２コネクタ８５）
第２コネクタ８５は図３５に示すように、接触部９３Ａ，９４Ａ，９５Ａを有する複数（本実施形態では３つ）の端子９３，９４，９５と、複数の端子９３，９４，９５を保持するハウジング８６とを有する。
【００６４】
第２コネクタ８５の端子９３，９４，９５は、図３５における左側から順に、第１端子９３、第２端子９４、第３端子９５とからなる。第１端子９３、第２端子９４、および第３端子９５は、それぞれ、Ｃ字状の接触部９３Ａ，９４Ａ，９５Ａと、接触部９３Ａ，９４Ａ，９５Ａの略中央から突出する板状の端子部９３Ｃ，９４Ｃ，９５Ｃとからなる。第１端子９３、第２端子９４および第３端子９５の接触部９３Ａ，９４Ａ，９５Ａの径寸法は、第１端子９３、第２端子９４、第３端子９５の順に小さく設定されている。
【００６５】
第１端子９３、第２端子９４および第３端子９５の接触部９３Ａ，９４Ａ，９５Ａは、その開口端が内側方向に屈曲した形状をなしており、より高い接圧でハウジング８５に保持されるようになっている。
【００６６】
第２コネクタ８５のハウジング８６の奥壁（図３５における左端部側の壁）には、３つの端子９３，９４，９５が挿通される端子保持孔８７が形成されている。第２コネクタ８５のハウジング８６は、略円筒状をなし、その内部に筒状の筒状保持部３０を備える。
【００６７】
第２コネクタ８５のハウジング８６の内壁には、図４１および図４３に示すように、径方向における最も外側に第１端子９３の接触部９３Ａを保持する第１端子保持部８８が設けられている。またハウジング８６の内壁には、第１端子保持部８８よりも左端部寄りに、第１端子保持部８８よりも径方向における内側に第２端子９４の接触部９４Ａを保持する第２端子保持部８９が設けられている。
【００６８】
第２コネクタ８５のハウジング８６の奥壁の内壁面からはハウジング８６内に突出し、第３端子９５を保持する保持突部９０が設けられている。この保持突部９０に第３端子９５の接触部９５Ａが外嵌めされ保持される（第３端子保持部９１）。  
【００６９】
つまり、第２コネクタ８５の複数の端子９３，９４，９５は第２コネクタ８５のハウジング８６において径方向にずれた位置に保持されていることになる（図４３を参照）。
【００７０】
図４４及び図４５に示すように、第１コネクタ７１と第２コネクタ８５とを嵌合させる。すると、図４６に示すように、第１コネクタ７１の第１端子７８の接触部７８Ａと、第２コネクタ８５の第１端子９３の接触部９３Ａとが接触し、第１コネクタ７１の第２端子７９の接触部７９Ａと第２コネクタ８５の第２端子９４の接触部９４Ａとが接触し、第１コネクタ７１の第３端子８０の接触部８０Ａと第２コネクタ８５の第３端子９５の接触部９５Ａとが接触する。
【００７１】
つまり、第２コネクタ８５の複数の端子９３，９４，９５は、第２コネクタ８５のハウジング８６において、第１コネクタ７１との嵌合が完了した際に、第１コネクタ７１の各端子７８，７９，８０の接触部７８Ａ，７９Ａ，８０Ａと接触するように保持されている。
【００７２】
嵌合が完了し第１コネクタ７１の各端子７８，７９，８０の接触部７８Ａ，７９Ａ，８０Ａが、第２コネクタ８５の対応する端子９３，９４，９５の接触部９３Ａ，９４Ａ，９５Ａと接触状態となると、両コネクタ７１，８５は電気的に接続可能な状態となる。
【００７３】
本実施形態の作用および効果について説明する。
本実施形態において複数の端子７８，７９，８０は、第１コネクタ７１のハウジング７２の外側に設けた第１端子保持部７４および第２端子保持部７５ならびにハウジング７２の内側に設けた第３端子保持部７６によって保持されているので、軸心と平行な方向にずれた位置に接触部３を設けたコネクタ１と比較して、ハウジング７２が軸心と平行な方向に大型化しない。その結果、本実施形態によっても、小型化した多極のコネクタ７０を提供することができる。
【００７４】
＜他の実施形態＞
本発明は上記記述及び図面によって説明した実施形態に限定されるものではなく、例えば次のような実施形態も本発明の技術的範囲に含まれる。
（１）上記実施形態では、第１コネクタ１１および第２コネクタ２５がそれぞれ４つの端子１８〜２１，３３〜３６を有する４極のコネクタ１０および３つの端子を有する３極のコネクタ７０を示したが、５極以上のコネクタであってもよい。
【００７５】
（２）上記実施形態１では、第１コネクタ１１および第２コネクタ２５のハウジング１２，２６が円筒状のものを示したが、図４８に示すように、嵌合時に外側に配される第２コネクタ１２５が、外側方向に突出する突出片１４０を備え、相手方の第１コネクタ１１０（図４７を参照）との嵌合完了時に他の部材（図示せず）により回転規制されるような構成のハウジング１２６を備える第２コネクタ１２６を備えるものであってもよい。
図４７中、１１２はハウジング、１１８は第１端子、１１８Ａは第１端子の接触部、１１８Ｂは第１端子の端子部、１１９は第２端子、１１９Ａは第２端子の接触部、１１９Ｂは第２端子の端子部、１２０Ｂは第３端子の端子部を示す。
図４８中、１３３は第１端子、１３３Ａは第１端子の接触部、１３３Ｂは第１端子の弾性接触片、１３３Ｃは第１端子の端子部、１３４は第２端子、１３４Ａは第２端子の接触部、１３４Ｂは第２端子の弾性接触片、１３４Ｃは第２端子の端子部、１３５は第３端子、１３５Ａは第３端子の接触部、１３５Ｂは第３端子の弾性接触片、１３５Ｃは第３端子の端子部を示す。
【符号の説明】
【００７６】
１０，４０，７０…コネクタ
１１，４１，７１，１１１…第１コネクタ
１２，４２，７２，１１２…（第１コネクタの）ハウジング
１４，４４，７４…第１端子保持部
１５，４５，７５…第２端子保持部
１６，４６，７６…第３端子保持部
１７，４６…第４端子保持部
１８，４８，７８，１１８…第１端子
１８Ａ，４８Ａ，７８Ａ，１１８Ａ…第１端子の接触部
１９，４９，７９，１１９…第２端子
１９Ａ，４９Ａ，７９Ａ，１１９Ａ…第２端子の接触部
２０，５０，８０，１２０…第３端子
２０Ａ，５０Ａ，８０Ａ…第３端子の接触部
２１，５１…第４端子
２１Ａ，５１Ａ…第４端子の接触部
２５，５５，８５．１２５…第２コネクタ
２６，５６，８６，１２６…（第２コネクタの）ハウジング
２８，５８，８８…第１端子保持部
２９，５９，８９…第２端子保持部
３０…筒状保持部
３１，６１，９１…第３端子保持部
３２，６２…第４端子保持部
３３，６３，９３，１３３…第１端子
３３Ａ，６３Ａ，９３Ａ，１３３Ａ…第１端子の接触部
３４，６４，９４，１３４…第２端子
３４Ａ，６４Ａ，９４Ａ，１３４Ａ…第２端子の接触部
３５，６５，９５，１３５…第３端子
３５Ａ，６５Ａ，９５Ａ，１３５Ａ…第３端子の接触部
３６，６６…第４端子
３６Ａ，６６Ａ…第４端子の接触部
６０…柱状保持部
９０…保持突部
【図１】
2015018730.tif 000003
【図２】
2015018730.tif 000004
【図３】
2015018730.tif 000005
【図４】
2015018730.tif 000006
【図５】
2015018730.tif 000007
【図６】
2015018730.tif 000008
【図７】
2015018730.tif 000009
【図８】
2015018730.tif 000010
【図９】
2015018730.tif 000011
【図１０】
2015018730.tif 000012
【図１１】
2015018730.tif 000013
【図１２】
2015018730.tif 000014
【図１３】
2015018730.tif 000015
【図１４】
2015018730.tif 000016
【図１５】
2015018730.tif 000017
【図１６】
2015018730.tif 000018
【図１７】
2015018730.tif 000019
【図１８】
2015018730.tif 000020
【図１９】
2015018730.tif 000021
【図２０】
2015018730.tif 000022
【図２１】
2015018730.tif 000023
【図２２】
2015018730.tif 000024
【図２３】
2015018730.tif 000025
【図２４】
2015018730.tif 000026
【図２５】
2015018730.tif 000027
【図２６】
2015018730.tif 000028
【図２７】
2015018730.tif 000029
【図２８】
2015018730.tif 000030
【図２９】
2015018730.tif 000031
【図３０】
2015018730.tif 000032
【図３１】
2015018730.tif 000033
【図３２】
2015018730.tif 000034
【図３３】
2015018730.tif 000035
【図３４】
2015018730.tif 000036
【図３５】
2015018730.tif 000037
【図３６】
2015018730.tif 000038
【図３７】
2015018730.tif 000039
【図３８】
2015018730.tif 000040
【図３９】
2015018730.tif 000041
【図４０】
2015018730.tif 000042
【図４１】
2015018730.tif 000043
【図４２】
2015018730.tif 000044
【図４３】
2015018730.tif 000045
【図４４】
2015018730.tif 000046
【図４５】
2015018730.tif 000047
【図４６】
2015018730.tif 000048
【図４７】
2015018730.tif 000049
【図４８】
2015018730.tif 000050
【図４９】
2015018730.tif 000051
【図５０】
2015018730.tif 000052